(57)【要約】【課題】ＢＰＦにおける信号通過帯域Ａの上限又は下限の周波数を有する受信信号がＢＰＦに入力された場合、ＢＰＦから出力されるラビットイヤー信号を除去することができるようにする。【解決手段】ＢＰＦ３に入力される受信信号のうち、ＢＰＦ３における信号通過帯域Ａの上限の周波数Ｂ１又は下限の周波数Ｂ２を有する受信信号を検出するラビットイヤー判定回路６等を設け、上限の周波数Ｂ１又は下限の周波数Ｂ２を有する受信信号が検出されなければ、ＢＰＦ３から出力された受信信号を転送し、上限の周波数Ｂ１又は下限の周波数Ｂ２を有する受信信号が検出されると、ＢＰＦ３から出力された受信信号の転送を中止する。【選択図】図１
2008224325.tif 000002
【特許請求の範囲】
【請求項１】
受信信号の帯域幅を限定するバンドパスフィルタと、上記バンドパスフィルタに入力される受信信号のうち、上記バンドパスフィルタにおける信号通過帯域の上限又は下限の周波数を有する受信信号を検出する信号検出手段と、上記信号検出手段により上限又は下限の周波数を有する受信信号が検出されなければ、上記バンドパスフィルタから出力された受信信号を転送し、上記信号検出手段により上限又は下限の周波数を有する受信信号が検出されると、上記バンドパスフィルタから出力された受信信号の転送を中止する信号転送手段とを備えたラビットイヤー信号除去装置。
【請求項２】
信号検出手段は、受信信号を２つに分配して、上記受信信号の第１の分配信号をバンドパスフィルタに出力する分配器と、信号遮断帯域が上記バンドパスフィルタにおける信号通過帯域と一致する信号通過特性を有し、上記分配器から出力された第２の分配信号の帯域幅を限定する帯域除去フィルタと、上記バンドパスフィルタから第１の分配信号が出力され、かつ、上記帯域除去フィルタから第２の分配信号が出力された場合、上記バンドパスフィルタにおける信号通過帯域の上限又は下限の周波数を有する受信信号の検出を認定する判定回路とから構成されていることを特徴とする請求項１記載のラビットイヤー信号除去装置。
【請求項３】
信号検出手段は、受信信号を３つに分配して、上記受信信号の第１の分配信号をバンドパスフィルタに出力する分配器と、信号通過帯域が上記バンドパスフィルタにおける信号通過帯域の上限の周波数以下である信号通過特性を有し、上記分配器から出力された第２の分配信号の帯域幅を限定するローパスフィルタと、信号通過帯域が上記バンドパスフィルタにおける信号通過帯域の下限の周波数以上である信号通過特性を有し、上記分配器から出力された第３の分配信号の帯域幅を限定するハイパスフィルタと、上記バンドパスフィルタから第１の分配信号が出力され、かつ、上記ローパスフィルタから第２の分配信号が出力された場合又は上記ハイパスフィルタから第３の分配信号が出力された場合、上記バンドパスフィルタにおける信号通過帯域の上限又は下限の周波数を有する受信信号の検出を認定する判定回路とから構成されていることを特徴とする請求項１記載のラビットイヤー信号除去装置。
【請求項４】
受信信号の帯域幅を限定するバンドパスフィルタと、上記バンドパスフィルタに入力される受信信号のうち、上記バンドパスフィルタにおける信号通過帯域の上限又は下限の周波数を有する受信信号を検出する信号検出手段と、上記信号検出手段により上限又は下限の周波数を有する受信信号が検出されなければ、上記バンドパスフィルタから出力された受信信号を転送し、上記信号検出手段により上限又は下限の周波数を有する受信信号が検出されると、上記バンドパスフィルタから出力された受信信号の転送を中止する信号転送手段と、上記信号転送手段から転送された受信信号の周波数を分析する周波数分析手段とを備えた周波数分析装置。
【発明の詳細な説明】
【技術分野】
【０００１】
この発明は、バンドパスフィルタから出力されるラビットイヤー信号（バンドパスフィルタにおける信号通過帯域の上限又は下限の周波数を有する受信信号）を検出して、そのラビットイヤー信号を除去するラビットイヤー信号除去装置と、例えば、レーダ信号などの受信信号のパルス諸元（周波数、パルス幅等）を分析する周波数分析装置とに関するものである。
【背景技術】
【０００２】
従来の受信機における周波数分析装置では、通常、受信信号の帯域幅を限定するバンドパスフィルタ（ＢＰＦ：Ｂａｎｄ  Ｐａｓｓ  Ｆｉｌｔｅｒ）を実装している。
ＢＰＦにおける信号通過帯域の上限又は下限の周波数を有する受信信号がＢＰＦに入力された場合、本来のＢＰＦの通過信号よりパルス幅が狭く、位相特性も崩れている通過信号（ラビットイヤー信号）がＢＰＦから出力される。
【０００３】
ラビットイヤー信号は、上述したように、本来のＢＰＦの通過信号よりパルス幅が狭く、位相特性も崩れているため、そのラビットイヤー信号の周波数の検出処理を実施すると、本来のＢＰＦの通過信号の周波数と異なる周波数を誤検出することになる。
このため、後段の分析処理回路は、誤検出された周波数に基づくデータの分析処理を開始することになるため、システムで余分な分析処理時間が必要となる（例えば、特許文献１を参照）。
例えば、後段の分析処理回路が、例えば、探知装置や妨害装置などのＥＷ機器で使用される場合、目標を素早く探知して、妨害を開始する必要があり、処理時間のスピード化は重要である。
【０００４】
【特許文献１】特開２０００−２８４００７号公報（段落番号［００１５］、図１５）
【発明の開示】
【発明が解決しようとする課題】
【０００５】
従来の周波数分析装置は以上のように構成されているので、ＢＰＦにおける信号通過帯域の上限又は下限の周波数を有する受信信号がＢＰＦに入力されると、ＢＰＦからラビットイヤー信号が出力される。ＢＰＦから出力されるラビットイヤー信号の周波数の検出処理を実施すると、本来のＢＰＦの通過信号の周波数と異なる周波数を誤検出することになり、誤検出された周波数に基づくデータの分析処理を開始することになるため、システムで余分な分析処理時間が必要となるなどの課題があった。
【０００６】
この発明は上記のような課題を解決するためになされたもので、ＢＰＦにおける信号通過帯域の上限又は下限の周波数を有する受信信号がＢＰＦに入力された場合、ＢＰＦから出力されるラビットイヤー信号を除去することができるラビットイヤー信号除去装置を得ることを目的とする。
また、この発明は、ＢＰＦから出力されるラビットイヤー信号を除去して、分析処理時間のスピード化を図ることができる周波数分析装置を得ることを目的とする。
【課題を解決するための手段】
【０００７】
この発明に係るラビットイヤー信号除去装置は、バンドパスフィルタに入力される受信信号のうち、バンドパスフィルタにおける信号通過帯域の上限又は下限の周波数を有する受信信号を検出する信号検出手段を設け、信号検出手段により上限又は下限の周波数を有する受信信号が検出されなければ、信号転送手段がバンドパスフィルタから出力された受信信号を転送し、信号検出手段により上限又は下限の周波数を有する受信信号が検出されると、信号転送手段がバンドパスフィルタから出力された受信信号の転送を中止するようにしたものである。
【発明の効果】
【０００８】
この発明によれば、バンドパスフィルタに入力される受信信号のうち、バンドパスフィルタにおける信号通過帯域の上限又は下限の周波数を有する受信信号を検出する信号検出手段を設け、信号検出手段により上限又は下限の周波数を有する受信信号が検出されなければ、信号転送手段がバンドパスフィルタから出力された受信信号を転送し、信号検出手段により上限又は下限の周波数を有する受信信号が検出されると、信号転送手段がバンドパスフィルタから出力された受信信号の転送を中止するように構成したので、バンドパスフィルタから出力されるラビットイヤー信号が後段の分析処理回路に出力されなくなり、分析処理時間のスピード化を図ることができる効果がある。
【発明を実施するための最良の形態】
【０００９】
実施の形態１．
図１はこの発明の実施の形態１による周波数分析装置を示す構成図であり、図において、ラビットイヤー信号除去装置１はバンドパスフィルタ（ＢＰＦ：Ｂａｎｄ  Ｐａｓｓ  Ｆｉｌｔｅｒ）３を実装しており、ＢＰＦ３から出力されるラビットイヤー信号（ＢＰＦ３における信号通過帯域の上限又は下限の周波数を有する受信信号）を検出して、そのラビットイヤー信号を除去する処理を実施する。
ラビットイヤー信号除去装置１の分配器２は受信機の受信信号を２つに分配して、その受信信号の分配信号Ｘ（第１の分配信号）をＢＰＦ３に出力し、その受信信号の分配信号Ｙ（第２の分配信号）を帯域除去フィルタ（ＢＲＦ：Ｂａｎｄ  Ｒｅｊｅｃｔｉｏｎ  Ｆｉｌｔｅｒ）５に出力する処理を実施する。
なお、言うまでもないが、分配信号Ｘと分配信号Ｙは、受信機の受信信号と同一の信号である。
【００１０】
ＢＰＦ３は信号通過帯域Ａの信号通過特性を有し（図２及び図４を参照）、分配器２から出力された分配信号Ｘの帯域幅を限定する処理を実施する。
分配器４はＢＰＦ３の通過信号である分配信号Ｘをラビットイヤー判定回路６とラビットイヤー除去回路７に分配する処理を実施する。
ＢＲＦ５は信号遮断帯域がＢＰＦ３における信号通過帯域Ａと一致する信号通過特性を有し（図４を参照）、分配器２から出力された分配信号Ｙの帯域幅を限定する処理を実施する。
【００１１】
ラビットイヤー判定回路６は分配器４からＢＰＦ３の通過信号である分配信号Ｘが出力され、かつ、ＢＲＦ５から通過信号である分配信号Ｙが出力された場合、ＢＰＦ３における信号通過帯域Ａの上限の周波数Ｂ１又は下限の周波数Ｂ２を有する受信信号の検出を認定する処理を実施する。
なお、分配器２，４、ＢＲＦ５及びラビットイヤー判定回路６から信号検出手段が構成されている。
【００１２】
ラビットイヤー除去回路７はラビットイヤー判定回路６により分配器４から出力された分配信号Ｘ（ＢＰＦ３の通過信号）がラビットイヤー信号であると認定されなければ、その分配信号Ｘを周波数・パルス幅検出回路８に転送し、その分配信号Ｘがラビットイヤー信号であると認定されると、周波数・パルス幅検出回路８に対する分配信号Ｘの転送を中止する処理を実施する。なお、ラビットイヤー除去回路７は信号転送手段を構成している。
【００１３】
周波数・パルス幅検出回路８はラビットイヤー除去回路７から転送された分配信号Ｘ（ＢＰＦ３の通過信号）の周波数を検出するとともに、その分配信号Ｘのパルス幅を検出する処理を実施する。
分析処理回路９は周波数・パルス幅検出回路８の検出結果に基づいて、例えば、パルス諸元（周波数、パルス幅等）などの分析処理を実施する。
なお、周波数・パルス幅検出回路８及び分析処理回路９から周波数分析手段が構成されている。
【００１４】
次に動作について説明する。
図２はラビットイヤー信号除去装置１におけるＢＰＦ３の通過特性を示しており、受信機の受信信号の周波数がＢＰＦ３の信号通過帯域Ａの範囲内にある場合、ＢＰＦ３の通過信号の波形は、図３（ａ）に示すように、パルス幅及び位相特性が正常なものになる。
一方、受信機の受信信号の周波数がＢＰＦ３における信号通過帯域Ａの上限の周波数Ｂ１又は下限の周波数Ｂ２である場合、ＢＰＦ３の通過信号の波形は、図３（ｂ）に示すように、本来よりパルス幅が狭くなり、位相特性が崩れたものになる。この場合のＢＰＦ３の通過信号をラビットイヤー信号と称する。
この実施の形態１では、ＢＰＦ３から出力されるラビットイヤー信号を検出し、そのラビットイヤー信号が周波数・パルス幅検出回路８に出力されないようにしている。
【００１５】
以下、周波数分析装置の処理内容を具体的に説明する。
ラビットイヤー信号除去装置１の分配器２は、受信機の受信信号を入力すると、その受信信号を２つに分配して、その受信信号の分配信号ＸをＢＰＦ３に出力し、その受信信号の分配信号ＹをＢＲＦ５に出力する。
【００１６】
ＢＰＦ３は、分配器２から分配信号Ｘを受けると、その分配信号Ｘの帯域幅を限定する処理を実施する。
即ち、ＢＰＦ３は、信号通過帯域Ａの信号通過特性を有しており（図２及び図４を参照）、分配器２から出力された分配信号Ｘの周波数が信号通過帯域Ａの範囲内にある場合、その分配信号Ｘを殆ど減衰することなく、図３（ａ）に示すように、パルス幅及び位相特性が正常な波形の信号を出力する。
また、ＢＰＦ３は、分配器２から出力された分配信号Ｘの周波数が信号通過帯域Ａの上限の周波数Ｂ１又は下限の周波数Ｂ２である場合、図３（ｂ）に示すように、本来よりパルス幅が狭く、位相特性が崩れているラビットイヤー信号を出力する。
また、ＢＰＦ３は、分配器２から出力された分配信号Ｘの周波数が信号遮断帯域Ｃの範囲内にある場合、その分配信号Ｘを大きく減衰して、その分配信号Ｘの出力を行わない。
【００１７】
分配器４は、ＢＰＦ３の通過信号である分配信号Ｘを受けると、その分配信号Ｘをラビットイヤー判定回路６とラビットイヤー除去回路７に分配する。
【００１８】
ＢＲＦ５は、分配器２から分配信号Ｙを受けると、その分配信号Ｙの帯域幅を限定する処理を実施する。
即ち、ＢＲＦ５は、信号遮断帯域がＢＰＦ３における信号通過帯域Ａと一致する信号通過特性を有しており（図４を参照）、分配器２から出力された分配信号Ｙの周波数が信号遮断帯域Ａの範囲内にある場合、その分配信号Ｙを大きく減衰して、その分配信号Ｙの出力を行わない。
また、ＢＲＦ５は、分配器２から出力された分配信号Ｙの周波数が信号遮断帯域Ａの範囲外Ｂ１，Ｂ２，Ｃにある場合、その分配信号Ｙを殆ど減衰することなく、その分配信号Ｙを出力する。
【００１９】
ラビットイヤー判定回路６は、分配器４からＢＰＦ３の通過信号である分配信号Ｘが出力され、かつ、ＢＲＦ５から通過信号である分配信号Ｙが出力された場合、ＢＰＦ３における信号通過帯域Ａの上限の周波数Ｂ１又は下限の周波数Ｂ２を有する受信信号の検出を認定する。
即ち、ラビットイヤー判定回路６は、図５に示すように、ＢＰＦ３の通過信号である分配信号Ｘが有り、かつ、ＢＲＦ５の通過信号である分配信号Ｙが有りの場合（分配信号Ｙの周波数が周波数Ｂ１又はＢ２である場合）、分配器４から出力された分配信号Ｘ（ＢＰＦ３の通過信号）がラビットイヤー信号であると認定する。
【００２０】
ラビットイヤー除去回路７は、ラビットイヤー判定回路６が、分配器４から出力された分配信号Ｘ（ＢＰＦ３の通過信号）がラビットイヤー信号であると認定しなければ、その分配信号Ｘを周波数・パルス幅検出回路８に転送する。
一方、ラビットイヤー判定回路６が、分配器４から出力された分配信号Ｘ（ＢＰＦ３の通過信号）がラビットイヤー信号であると認定すると、周波数・パルス幅検出回路８に対する分配信号Ｘの転送を中止する。
【００２１】
周波数・パルス幅検出回路８は、ラビットイヤー除去回路７から分配信号Ｘ（ＢＰＦ３の通過信号）を受けると、その分配信号Ｘの周波数を検出するとともに、その分配信号Ｘのパルス幅を検出する。
分析処理回路９は、周波数・パルス幅検出回路８の検出結果を受けると、その検出結果に基づいて、例えば、パルス諸元（周波数、パルス幅等）などの分析処理を実施する。
【００２２】
以上で明らかなように、この実施の形態１によれば、ＢＰＦ３に入力される受信信号のうち、ＢＰＦ３における信号通過帯域Ａの上限の周波数Ｂ１又は下限の周波数Ｂ２を有する受信信号を検出するラビットイヤー判定回路６等を設け、ラビットイヤー判定回路６等により上限の周波数Ｂ１又は下限の周波数Ｂ２を有する受信信号が検出されなければ、ＢＰＦ３から出力された受信信号を転送し、ラビットイヤー判定回路６等により上限の周波数Ｂ１又は下限の周波数Ｂ２を有する受信信号が検出されると、ＢＰＦ３から出力された受信信号の転送を中止するように構成したので、ＢＰＦ３から出力されるラビットイヤー信号が後段の分析処理回路９に出力されなくなり、分析処理時間のスピード化を図ることができる効果を奏する。
【００２３】
実施の形態２．
図６はこの発明の実施の形態２による周波数分析装置を示す構成図であり、図において、図１と同一符号は同一または相当部分を示すので説明を省略する。
分配器１１は受信機の受信信号を３つに分配して、その受信信号の分配信号Ｘ（第１の分配信号）をＢＰＦ３に出力し、その受信信号の分配信号Ｙ（第２の分配信号）をローパスフィルタ（ＬＰＦ：Ｌｏｗ  Ｐａｓｓ  Ｆｉｌｔｅｒ）１２に出力し、その受信信号の分配信号Ｚ（第３の分配信号）をハイパスフィルタ（ＨＰＦ：Ｈｉｇｈ  Ｐａｓｓ  Ｆｉｌｔｅｒ）１３に出力する処理を実施する。
なお、言うまでもないが、分配信号Ｘと分配信号Ｙと分配信号Ｚは、受信機の受信信号と同一の信号である。
【００２４】
ＬＰＦ１２は信号通過帯域がＢＰＦ３における信号通過帯域Ａの上限の周波数Ｂ１以下である信号通過特性を有し（図７を参照）、分配器１１から出力された分配信号Ｙの帯域幅を限定する処理を実施する。
ＨＰＦ１３は信号通過帯域がＢＰＦ３における信号通過帯域Ａの下限の周波数Ｂ２以上である信号通過特性を有し（図８を参照）、分配器１１から出力された分配信号Ｚの帯域幅を限定する処理を実施する。
【００２５】
ラビットイヤー判定回路１４は分配器４からＢＰＦ３の通過信号である分配信号Ｘが出力され、かつ、ＬＰＦ１２から通過信号である分配信号Ｙが出力された場合又はＨＰＦ１３から通過信号である分配信号Ｚが出力された場合、ＢＰＦ３における信号通過帯域Ａの上限の周波数Ｂ１又は下限の周波数Ｂ２を有する受信信号の検出を認定する処理を実施する。
なお、分配器１１，４、ＬＰＦ１２、ＨＰＦ１３及びラビットイヤー判定回路１４から信号検出手段が構成されている。
【００２６】
次に動作について説明する。
ラビットイヤー信号除去装置１の分配器１１は、受信機の受信信号を入力すると、その受信信号を３つに分配して、その受信信号の分配信号ＸをＢＰＦ３に出力し、その受信信号の分配信号ＹをＬＰＦ１２に出力し、その受信信号の分配信号ＺをＨＰＦ１３に出力する。
【００２７】
ＢＰＦ３は、分配器１１から分配信号Ｘを受けると、その分配信号Ｘの帯域幅を限定する処理を実施する。
即ち、ＢＰＦ３は、信号通過帯域Ａの信号通過特性を有しており（図７及び図８を参照）、分配器１１から出力された分配信号Ｘの周波数が信号通過帯域Ａの範囲内にある場合、その分配信号Ｘを殆ど減衰することなく、図３（ａ）に示すように、パルス幅及び位相特性が正常な波形の信号を出力する。
また、ＢＰＦ３は、分配器１１から出力された分配信号Ｘの周波数が信号通過帯域Ａの上限の周波数Ｂ１又は下限の周波数Ｂ２である場合、図３（ｂ）に示すように、本来よりパルス幅が狭く、位相特性が崩れているラビットイヤー信号を出力する。
また、ＢＰＦ３は、分配器１１から出力された分配信号Ｘの周波数が信号遮断帯域Ｃの範囲内にある場合、その分配信号Ｘを大きく減衰して、その分配信号Ｘの出力を行わない。
【００２８】
分配器４は、ＢＰＦ３の通過信号である分配信号Ｘを受けると、その分配信号Ｘをラビットイヤー判定回路１４とラビットイヤー除去回路７に分配する。
【００２９】
ＬＰＦ１２は、分配器１１から分配信号Ｙを受けると、その分配信号Ｙの帯域幅を限定する処理を実施する。
即ち、ＬＰＦ１２は、信号通過帯域がＢＰＦ３における信号通過帯域Ａの上限の周波数Ｂ１以下である信号通過特性を有しており（図７を参照）、分配器１１から出力された分配信号Ｙの周波数が信号遮断帯域Ａの範囲内にある場合、その分配信号Ｙを大きく減衰して、その分配信号Ｙの出力を行わない。
また、ＬＰＦ１２は、分配器１１から出力された分配信号Ｙの周波数が信号通過帯域Ｂ１，Ｃの範囲内にある場合、その分配信号Ｙを殆ど減衰することなく、その分配信号Ｙを出力する。
【００３０】
ＨＰＦ１３は、分配器１１から分配信号Ｚを受けると、その分配信号Ｚの帯域幅を限定する処理を実施する。
即ち、ＨＰＦ１３は、信号通過帯域がＢＰＦ３における信号通過帯域Ａの下限の周波数Ｂ２以上である信号通過特性を有し（図８を参照）、分配器１１から出力された分配信号Ｚの周波数が信号遮断帯域Ａの範囲内にある場合、その分配信号Ｚを大きく減衰して、その分配信号Ｚの出力を行わない。
また、ＨＰＦ１３は、分配器１１から出力された分配信号Ｚの周波数が信号通過帯域Ｂ２，Ｃの範囲内にある場合、その分配信号Ｚを殆ど減衰することなく、その分配信号Ｚを出力する。
【００３１】
ラビットイヤー判定回路１４は、分配器４からＢＰＦ３の通過信号である分配信号Ｘが出力され、かつ、ＬＰＦ１２から通過信号である分配信号Ｙが出力された場合又はＨＰＦ１３から通過信号である分配信号Ｚが出力された場合、ＢＰＦ３における信号通過帯域Ａの上限の周波数Ｂ１又は下限の周波数Ｂ２を有する受信信号の検出を認定する。
即ち、ラビットイヤー判定回路１４は、図９に示すように、ＢＰＦ３の通過信号である分配信号Ｘが有り、かつ、ＬＰＦ１２の通過信号である分配信号Ｙが有りの場合（分配信号Ｙの周波数が周波数Ｂ１である場合）、分配器４から出力された分配信号Ｘ（ＢＰＦ３の通過信号）がラビットイヤー信号であると認定する。
また、ラビットイヤー判定回路１４は、図１０に示すように、ＢＰＦ３の通過信号である分配信号Ｘが有り、かつ、ＨＰＦ１３の通過信号である分配信号Ｚが有りの場合（分配信号Ｚの周波数が周波数Ｂ２である場合）、分配器４から出力された分配信号Ｘ（ＢＰＦ３の通過信号）がラビットイヤー信号であると認定する。
【００３２】
ラビットイヤー除去回路７は、ラビットイヤー判定回路１４が、分配器４から出力された分配信号Ｘ（ＢＰＦ３の通過信号）がラビットイヤー信号であると認定しなければ、その分配信号Ｘを周波数・パルス幅検出回路８に転送する。
一方、ラビットイヤー判定回路１４が、分配器４から出力された分配信号Ｘ（ＢＰＦ３の通過信号）がラビットイヤー信号であると認定すると、周波数・パルス幅検出回路８に対する分配信号Ｘの転送を中止する。
【００３３】
周波数・パルス幅検出回路８は、ラビットイヤー除去回路７から分配信号Ｘ（ＢＰＦ３の通過信号）を受けると、その分配信号Ｘの周波数を検出するとともに、その分配信号Ｘのパルス幅を検出する。
分析処理回路９は、周波数・パルス幅検出回路８の検出結果を受けると、その検出結果に基づいて、例えば、パルス諸元（周波数、パルス幅等）などの分析処理を実施する。
【００３４】
以上で明らかなように、この実施の形態２によれば、ＢＲＦ５の代わりに、ＬＰＦ１２及びＨＰＦ１３を用いるようにしても、上記実施の形態１と同様に、後段の分析処理回路９に対するラビットイヤー信号の出力を止めることができるようになり、分析処理時間のスピード化を図ることができる効果を奏する。
【図面の簡単な説明】
【００３５】
【図１】この発明の実施の形態１による周波数分析装置を示す構成図である。
【図２】この発明の実施の形態１によるラビットイヤー信号除去装置１のＢＰＦ３の通過特性を示す説明図である。
【図３】この発明の実施の形態１によるラビットイヤー信号除去装置１のＢＰＦ３の出力波形を示す説明図である。
【図４】この発明の実施の形態１によるラビットイヤー信号除去装置１のＢＰＦ３及びＢＲＦ５の通過特性を示す説明図である。
【図５】この発明の実施の形態１によるラビットイヤー信号除去装置１のラビットイヤー判定回路６の判定結果を示す説明図である。
【図６】この発明の実施の形態２による周波数分析装置を示す構成図である。
【図７】この発明の実施の形態２によるラビットイヤー信号除去装置１のＢＰＦ３及びＬＲＦ１２の通過特性を示す説明図である。
【図８】この発明の実施の形態２によるラビットイヤー信号除去装置１のＢＰＦ３及びＨＲＦ１３の通過特性を示す説明図である。
【図９】この発明の実施の形態２によるラビットイヤー信号除去装置１のラビットイヤー判定回路１４の判定結果を示す説明図である。
【図１０】この発明の実施の形態２によるラビットイヤー信号除去装置１のラビットイヤー判定回路１４の判定結果を示す説明図である。
【符号の説明】
【００３６】
１  ラビットイヤー信号除去装置、２，４，１１  分配器（信号検出手段）、３  ＢＰＦ（バンドパスフィルタ）、５  ＢＲＦ（帯域除去フィルタ、信号検出手段）、６，１４  ラビットイヤー判定回路（信号検出手段）、７  ラビットイヤー除去回路（信号転送手段）、８  周波数・パルス幅検出回路（周波数分析手段）、９  分析処理回路（周波数分析手段）、１２  ＬＰＦ（ローパスフィルタ、信号検出手段）、１３  ＨＰＦ（ハイパスフィルタ、信号検出手段）。
【図１】
2008224325.tif 000003
【図２】
2008224325.tif 000004
【図３】
2008224325.tif 000005
【図４】
2008224325.tif 000006
【図５】
2008224325.tif 000007
【図６】
2008224325.tif 000008
【図７】
2008224325.tif 000009
【図８】
2008224325.tif 000010
【図９】
2008224325.tif 000011
【図１０】
2008224325.tif 000012